(57)【要約】【課題】  従来のプラズマディスプレイ装置は、電極抵抗と電極間容量により形成される積分回路により、各画素に印加する維持放電電圧波形の高周波成分が減衰され、所望の電圧波形が印加されないという課題がある。【解決手段】  本発明では、上記課題を解決するために、前記ＸおよびＹ電極３の少なくとも一方について個々の該電極両端を接続する複数本の接続配線４を、前面板１の映像が表示される側に設け、且つ前記ＸおよびＹ電極３のバス電極の単位長さ当たりの抵抗値を電極位置により変える。【選択図】  図１
2005129235.tif 000002
【特許請求の範囲】
【請求項１】
前面板および背面板を備え、該前面板に互いに平行な複数の維持放電用のＸ電極と、維持および走査放電用のＹ電極と、該背面板に前記両電極と直交配置された複数のアドレス電極を備えるプラズマディスプレイ装置において、
前記ＸまたはＹ電極のバス電極において単位長さ当たりの抵抗値を電極位置により変えたことを特徴とするプラズマディスプレイ装置。
【請求項２】
前記ＸまたはＹ電極において、前記前面板の両端部で該電極と接続する複数本の接続配線を前面板の映像が表示される側(以下、外面側)に設けたことを特徴とする請求項１に記載のプラズマディスプレイ装置。
【請求項３】
前記接続配線を前面板の前側に配置される前面フィルタ等の別部材に設けたことを特徴とする請求項２記載のプラズマディスプレイ装置。
【請求項４】
前記接続配線は、前面板内面側のＸまたはＹ電極に対し、前面板断面中心線の線対称となる前面板外面側または前面フィルタ等の別部材の対応する位置に配置したことを特徴とする請求項２または３に記載のプラズマディスプレイ装置
【請求項５】
前記接続配線は、ＣｕまたはＡｇを含む金属化合物若しくは金属箔から加工成形またはスクリーン印刷された配線からなることを特徴とする請求項２記載のプラズマディスプレイ装置。
【請求項６】
前記ＸまたはＹ電極のバス電極において単位長さ当たりの抵抗値を駆動電圧印加端側を小さく、他端側に近くなるほど大きくしたことを特徴とする請求項１記載のプラズマディスプレイ装置。
【発明の詳細な説明】
【技術分野】
【０００１】
本発明は、電極抵抗と電極間静電容量による駆動電圧波形の波形歪を低減したプラズマディスプレイ装置に関するものである。
【背景技術】
【０００２】
ＡＣ駆動型プラズマディスプレイ装置(以下、プラズマディスプレイ装置と称する)は、大画面で薄型の平面ディスプレイを実現でき、業務用、家庭用共に需要が高まっている。
従来のプラズマディスプレイ装置は、対向して配置されたガラス基材からなる前面板と背面板で構成され、前面板側に略平行に配置された対を成す維持放電電極（Ｘ電極）と維持・走査放電電極（Ｙ電極）が表示ライン数分設けられ、背面板側に前記電極対と略直交配置されＹ電極との間で走査放電を行うアドレス電極が表示ドット数分設けられた構造となっている。各画素はＸ、Ｙ電極対とアドレス電極の交点に表示ライン数×表示ドット数分形成される。
【０００３】
そして、その駆動方法としては、階調表示を放電回数で制御するサブフィールド駆動方式が一般的である。各サブフィールドは、リセット期間、アドレス期間、および維持放電期間から構成され、各々は概略次のような動作を行う。
【０００４】
リセット期間は、Ｘ、Ｙ電極間にリセットパルス電圧を印加して全画素で放電させ、直前のサブフィールドでの壁電荷を消去する。次のアドレス期間は、各Ｙ電極に順次に走査パルスを印加し、同時に映像表示内容に対応する画素のアドレス電極にアドレスパルス電圧を印加することにより、前記画素のＹ電極とアドレス電極間にアドレス放電を発生させて、壁電荷を蓄積させる。続く維持放電期間では、Ｘ電極とＹ電極間に維持放電パルス電圧を印加し、アドレス期間に壁電荷を蓄積した画素において維持放電を発生させ、その画素を点灯させる。以上述べたような、背景技術については、例えば特許文献１に記載されている。
【０００５】
ところで、プラズマディスプレイ装置は、更なる需要拡大のため、大画面化、高輝度化および低コスト化が検討されており、特に液晶ディスプレイ等の他の平面ディスプレイ装置に対し、消費電力や輝度傾斜の低減および明室コントラスト向上が性能上の大きな課題となっている。
【０００６】
消費電力の低減については、プラズマディスプレイ装置の消費電力の約６０％をプラズマディスプレイパネル(以下、パネル)の駆動関連が占めており、パネルの発光効率の向上による低損失化が各方面から検討されている。
【０００７】
維持放電電圧波形による発光効率の向上策として、非特許文献１によれば、維持放電電圧波形の立上り時にパルス幅が非常に短く、波高値がより高いプライミングパルスを印加することが提案されている。また特許文献２では、前記提案の維持放電電圧波形を生成する駆動回路が提案されている。後者によるＸ-Ｙ電極間に印加される維持放電電圧波形の一例を図４のＶｘ−ｙ(実線で示す)に示す。図中のＶｐがプライミングパルス部であり、パルス幅は数百ｎｓである。
【０００８】
次に輝度傾斜について述べる。一つの表示ラインに着目した場合、各電極間の抵抗（以下、電極抵抗と称する）による電圧降下で、表示位置により輝度が異なる所謂輝度傾斜が生じることが知られている。そこで、例えば特許文献３では、その図１３で開示されているように、表示パネルの背面板裏面に、各電極の両端部を接続する複数の配線を設け、等価的に電極抵抗を低減している。また、特許文献４では、各電極抵抗を下げるために、表示ラインの略中央位置で各電極の幅を大きくしている。
【０００９】
周辺が明るい場合のコントラストである明室コントラストについては、前面板の観視者側に外光入射量を低減する前面フィルタを配置してその向上を図る技術が、例えば特許文献５で開示されている。
【００１０】
【特許文献１】特開２００１−１３９１６号公報
【００１１】
【特許文献２】特開２００１−１３９１９号公報
【特許文献３】特開２００３−５８０７４号公報
【特許文献４】特開平１０−２４１５７７号公報
【特許文献５】特開平８−５５５８１号公報
【非特許文献１】A New Driving Method for Vertical Discharge PDP：ＩＤＷ(International Display Workshops)'９８、Yoshifumi Amano, Joichi Endo, Bala K. Velayudhan著
【発明の開示】
【発明が解決しようとする課題】
【００１２】
しかしながら、上記従来のプラズマディスプレイ装置では、主として各電極の電極抵抗と、各画素の放電電極や微小な電極配線間等で形成される電極間静電容量(以下、電極間容量と称する)により、各画素に印加される維持放電パルス電圧波形の高周波成分が減衰し、所望の電圧波形とならない。
【００１３】
図５を用いてこのことを説明する。図５は、前記Ｘ、Ｙ電極各１本からなる表示ライン１組分の簡略的な等価回路を示す。同図において、ｒX１，ｒX２，…ｒXｎおよびｒY１，ｒY２，…ｒYｎは各画素当たりのＸおよびＹ電極の電極抵抗、またｃ１，ｃ２，…ｃｎは各画素の電極寸法・単位面積等の画素構造に依存する各画素当たりの電極間容量であり、表示ライン１組は簡略的に該電極抵抗と電極間容量が画素数分連続した積分回路としてあらわすことができる。
【００１４】
なお従来のプラズマディスプレイ装置では、市場を急峻に立上げるため生産数量確保およびコスト低減が最優先され、キーパーツとなるパネルの生産歩留り向上のためパネル構造も単純化され、図５にてｒX１＝ｒX２＝…＝ｒXｎ＝ｒY１＝ｒY２＝…＝ｒYｎ、またｃ１＝ｃ２＝…＝ｃｎであるのが一般的である。
【００１５】
従来のプラズマディスプレイ装置のＸ、Ｙ各電極は、一般的にＩＴＯ(Indium Tin Oxide)を用いた透明電極のような抵抗率の高い電極材料を用いる場合も、銀または銅の金属化合物を用いた抵抗率の低い材料からなるバス電極を併用し、電極抵抗は可能な限り低く抑えられているが、各電極１本当たりの電極抵抗値は通常数百Ω程度の値となる。同様に表示ライン１組分の電極間容量は、画素構造に依存するが一般的に数百ｐＦ程度の値となる。なおプラズマディスプレイ装置の大画面化および画素の高精細化に伴い、各電極はその電極長が長く、且つ細くなり、電極抵抗値も高くなる傾向にある。
【００１６】
図５のＸとＹ電極間に、図４のＶｘ−ｙに示すような維持放電電圧を印加した場合、各画素に印加される電圧波形は、電極抵抗と電極間容量により積分され、高周波成分が減衰するため、波形立上り・立下りが遅延する。各画素に印加される電圧波形の一例を図４のＶｃ(破線)に示す。Ｖｃに示されるように、特にプライミングパルスＶｐのような幅の狭いパルスは、立上り・立下りの遅延により、略三角波となり振幅も減少するため、所望の駆動波形とならない。このためプライミングパルスＶｐによる発光効率向上効果が得られない。
【００１７】
なお上記遅延の程度はパネルサイズ(遅延∝サイズ)、表示ライン上の画素位置(中央部が遅延大、両端に近い程小)に依存する。以下に詳細を述べる。先ずパネルサイズについて述べる。パネルの画素数および各電極断面寸法・材質を同一とすると、電極抵抗は電極長に、また画素の電極間容量は画素面積に各々比例すると見なせる。更に電極長と画素面積はパネル対角長に比例するため、上記遅延の程度(電極抵抗と静電容量の積に相当)は、ディスプレイ対角長の略二乗に比例して大きくなる。
【００１８】
次に表示ライン上の画素位置について図６(a)の表示ライン１組を５分割した等価回路にて説明する。図６(a)において、Ｒ１〜Ｒ５およびＲ６〜Ｒ１０は、各々ＸおよびＹ電極１本当たりの電極抵抗を５等分した各領域当たりの電極抵抗で抵抗Ｒに等しく、同様にＣ１〜Ｃ５は表示ライン１組当たりの電極間容量を５等分した各領域当たりの電極間容量で容量Ｃに等しい。ｉ１〜ｉ８は各部電流、Ｖ１は駆動電源の先頭電圧である。なお計算簡略化のため、該電源インピーダンスＲ０は無視し、ＣのリアクタンスをＸとする。ここで、図６(a)に示す各回路ループＩ〜Ｖについて方程式を立て、次式を得る。
【００１９】
即ち、回路ループＩより
V1=(6R+X)・i1+R・i2+4R・i3+3R・i5+2R・i7+R・i8  …(数１)
同様に回路ループII、III、IVおよびＶより
0=-(R+X)・i1+R・i2+X・i3                     …(数２)
0=-R・i1-(R+X)・i3+R・i4+X・i5                …(数３)
0=-R・i1-R・i3-(R+X)・i5+R・i6+X・i7            …(数４)
0=-R・i1-R・i3-R・i5-(R+X)・i7+(R+X)・i8        …(数５)
上式を変形して下記結果が得られる。
i3=i1/(1+R/X)                …(数６)
i5=i3/(1+R/X)                …(数７)
i7=i3=(1+R/X)・i5              …(数８)
i8=i1=(1+R/X)・i3=(1+R/X)・i7   …(数９)
ここで便宜的に数１０を仮定し、
jωCR≫1                      …(数１０)
数６〜数９中のＲ／Ｘを周波数領域表示に置き換えて次式を得る。
i3≒i1/(jωCR)=1/(CR)・{1/(jω)・i1}  …(数６)'
i5≒i3/(jωCR)=1/(CR)・{1/(jω)・i3}  …(数７)'
i7＝i3≒jωCR・i5=CR・{(jω)・i5}      …(数８)'
i8＝i1≒jωCR・i7=CR・{(jω)・i7}      …(数９)'
ところで５分割された各領域の静電容量Ｃ１からＣ５にそれぞれ印加される各電圧(ｖＣ１，ｖＣ２，…，ｖＣ５とする)は、各電流値とＣ１〜Ｃ５のリアクタンスの積であり、且つ各容量値が同一であるため、数６'〜数９'のｉ１，ｉ３，ｉ５，ｉ７，ｉ８は各々ｖＣ１，ｖＣ２，ｖＣ３，ｖＣ４，ｖＣ５に置き換え可能である。数６'〜数９'に上記置き換えを適用して次式を得る。
vC2≒1/(CR)・{1/(jω)・vC1}      …(数１１)
vC3≒1/(CR)・{1/(jω)・vC2}      …(数１２)
vC4=vC2≒CR・{(jω)・vC3}        …(数１３)
vC5=vC1≒CR・{(jω)・vC4}        …(数１４)
上式において、変数に1/(jω)を掛けることは該変数を時間積分することであり、同様に、変数にjωを掛けることは該変数を時間微分することであるから、数１１〜数１４より、ｖＣ２はｖＣ１を時定数Ｃ・Ｒで積分、ｖＣ３はｖＣ２を時定数Ｃ・Ｒで積分、ｖＣ４はｖＣ３を時定数Ｃ・Ｒで微分(＝ｖＣ２)、ｖＣ５(＝ｖＣ１)はｖＣ４を時定数Ｃ・Ｒで積分したものとなる。以上より、表示ライン中央に位置するｖＣ３が最も波形遅延が大きく、両端に近くなるほど遅延が少なくなることが判る。
図６(a)の等価回路の回路シミュレーション結果の一例を図６(b)，(c)に示す。図６(b)に駆動電源の電圧波形ｖＶ１および各部電圧波形を、図６(c)に各部電流波形を示す。なお図６(a)の分割数によらずシミュレーション結果は同様となる。
【００２０】
以上述べてきた波形遅延以外に、映像内容による電極電流値の変動により、電極抵抗による電圧降下が変動し、輝度が変動するという画質劣化を引起すことが知られている。
図７にて上記画質劣化について説明する。図７(a)に示すような映像をプラズマディスプレイ装置に表示させ、画面中央の白ウインドウの横方向寸法Ｌを変化させて、該ウインドウ中央部の輝度を測定し、縦軸を輝度、横軸を白ウインドウ横方向寸法Ｌと画面横方向寸法Ｗの比である表示率としてプロットすると、図７(b)に示すような特性となる。図７(b)にて、電極抵抗が小さい場合は、表示率増加により電極電流値が増加しても、電極の抵抗分による電圧降下の増加は少なく、各画素への印加電圧の変動が少ないため、曲線２１に示すように輝度変化（輝度傾斜）も少ない。一方、電極抵抗が大きい場合は、曲線２２に示すように輝度変化（輝度傾斜）が大きくなる。以上より、電極抵抗が大きい場合、プラズマディスプレイ装置の表示ラインごとの輝度が映像内容により大きく変化することになり、例えば動画等の表示率が時間およびラインごとに異なる場合、白の輝度が時間および表示ラインごとに異なるという現象が発生し、映像品位が劣化する原因となっている。またサブフィールド駆動方式では、サブフィールドごとに表示率が異なる為、各サブフィールド間の輝度比が崩れ、階調表示の乱れの原因ともなる。
【００２１】
以上に述べた電極抵抗の影響を低減する方法として、上記特許文献３に示されるように、表示パネルの背面板裏面に、各電極の両端部を接続する複数の配線を設け、等価的に電極抵抗を低減する方法があるが、通常、背面板裏面はパネル放熱用の部材（例えばアルミ板）を取り付けるスペースとして使用されており、放熱部材とパネルを密着させるなど熱伝導性の良い状態で取り付ける必要があるため、直接配線を追加することは困難である。このため前記配線を設けるための専用部材を設けることになり、パネルとの電気的接続を含め構造の複雑化、およびコストの上昇を避けられない。また図６に示す表示ライン上の画素位置による波形立上り・立下り遅延の差異については低減出来ない。
【００２２】
また、上記特許文献４に示されるように、表示ラインの電極構造に抵抗値分布を形成して、電極位置に依存する電圧降下分を取り除く手段があるが、電極の構造上の寸法制限と電極材料が現状と同一とした場合、該手段では各電極１本当たりの電極抵抗値を現状以下に低減することは困難である。
【００２３】
以上述べた以外に、プラズマディスプレイ装置は他の平面ディスプレイに比較し、装置周辺が明るい場合において、ガラス基材である前面板が外光を透過し、該外光が前面板外側表面と内側表面で反射し不要光となって視聴側に戻るため、周辺が明るい場合のコントラストである明室コントラスト値が劣る。この改善策として上記特許文献５に示されるように前面板の視聴側に外光入射量を低減する前面フィルタの追加が提案されているが、上記前面フィルタにより外光と共に本来の映像表示光も減衰するため、輝度劣化の問題がある。
【００２４】
以上述べたように、従来のプラズマディスプレイ装置では、第１に、電極抵抗と電極間容量により形成される積分回路により、各画素に印加する維持放電電圧波形の高周波成分の減衰による波形遅延が生じ、各画素に所望の電圧波形が印加されないという課題がある。特にパネルサイズが大型化すると電極長および画素面積が増加するため、電極抵抗および電極間容量は共に増加し、遅延がより顕著となるため、大画面化の阻害要因となっている。また同一表示ライン上の画素位置により遅延量が異なるため、パネルの動作マージン劣化の一因ともなっている。
【００２５】
第２に、電極抵抗は映像表示率の増加に伴う輝度低下（輝度傾斜）を引起し、映像品位を劣化させるため、この点からも低抵抗化が課題となっている。
【００２６】
一般的に電極抵抗の低抵抗化は、より低抵抗な材料を選定するか、電極幅もしくは電極厚さを拡大することが考えられる。しかしながら、既存の材料による低抵抗化には限界がある。また低抵抗材料によるバス電極は不透明であるため、電極幅の拡大は表示に寄与しない領域が増加によりパネルの開効率に影響し、電極厚さの拡大は製造加工工程の精度低下や加工時間増加等に影響するなどにより、大幅な改善は困難であった。
以上のように、従来の単位長さ当たりの抵抗値をほぼ一定とした電極構造では、その低抵抗化には限界があり、またパネル内すべての画素を所定の動作マージン内で動作させることは容易ではなかった。
【課題を解決するための手段】
【００２７】
本発明では、上記課題を解決するために、下記２つの手段を実施する。
【００２８】
手段１は、前記Ｘ、Ｙ電極の少なくとも一方について個々の該電極両端を接続する複数本の接続配線を、前面板の映像が表示される外面側に設けることである。そして、前記接続配線は、前面板内面側のＸまたはＹ電極に対し、前面板断面中心線に線対称となる前面板外面側または前面フィルタの対応する位置に配置する。また前記配線は、前面板の前側に配置される前面フィルタに設けてもよい。
手段１によれば、ＸまたはＹ電極の少なくとも一方を前面板両端部で接続配線と接続するため、該接続された電極抵抗を等価的に低減できる。
また、前記接続配線は、前面板外側に設けた場合、接続配線を設ける新たな部材を必要とせず、またＸ、Ｙ電極と同様な材料で、且つパネル製造工程内で同様に形成できるため、軽微なコストで実現可能である。
また前記接続配線は、前面板外面側または前面フィルタの、ＸまたはＹ電極と重なるように配置することにより、映像品位を保ち、且つ照明などの外来光の前面板への入射量を低減出来るため、コントラストを向上できる。
【００２９】
手段２は、Ｘ、Ｙ電極各々の位置によって電極抵抗値を変えることである。前記手段１により等価的に電極抵抗は低減されるが、表示ライン上の画素位置による遅延の差は低減されない。画素位置による遅延の差が最小となるような電極抵抗値とするため、位置または領域ごとに電極の幅および厚さを変えるものである。
【発明の効果】
【００３０】
以上のように、本発明によれば、維持放電用のＸ電極、維持・走査放電用のＹ電極の電極抵抗を等価的に低減し、且つ電極上の画素位置によらず各画素への印加電圧波形の遅延を略均一化できるため、発光効率を向上させる維持放電電圧波形を歪少なく各画素へ印加可能となり該維持電圧波形による所望の消費電力低減効果を得ることが出来る。また電極抵抗による映像品位劣化を低減出来、且つ外光によるコントラストの劣化の低減を実現出来る。
【発明を実施するための最良の形態】
【００３１】
以下、図面を参照して本発明の実施形態の一例について説明する。
【実施例１】
【００３２】
図１は、本発明による実施形態の一例であるプラズマディスプレイ装置の概略を示す(a)断面図、(b)外観図、および(c)Ｘ・Ｙ電極による表示ライン１組の構成図である。図１(a)において、１と２は共にガラス基板からなり互いに片面同士を近接して配置される前面板と背面板である。なお以降において両者の近接された面側を各々の内面側、もう一方を外面側と称する。３は前面板の内面側表面に形成されたＸおよびＹ電極（バス電極）、４は本発明の手段１による前面板の外面側表面に形成された接続配線、５は背面板の内面側表面に形成された隔壁、同様に６はアドレス電極、７はアドレス電極を覆うように形成された誘電体および蛍光体を示す。図示していないが、３のＸおよびＹ電極は共に透明電極ＩＴＯと抵抗値の低いバス電極からなり全体を誘電体およびＭｇＯ膜で覆われている。また７の誘電体および蛍光体において蛍光体は誘電体の上側に位置する。なお以降において特に記載の無い場合、ＸおよびＹ電極はバス電極を意味するものとする。
【００３３】
先ず、前記課題を解決するための手段１について述べる。図１(a)において、複数本からなるＸおよびＹ電極３は、前面板１の内面側表面の両端部まで形成され、各電極個々の両端部同士を接続配線４により接続する。接続配線４は、図１(b)に示すように前面板１の外面側表面に、且つ各画素の放電光を妨げないように前面板１内面側のＸおよびＹ電極３と各々重なるように配置される。接続配線４の材質は導電性のものであれば特に限定しないが、より低抵抗の配線材料が好適である。なおＸおよびＹ電極との接続を考慮すると、ＸおよびＹ電極と同様にＣｕまたはＡｇを含む金属化合物若しくは金属箔から加工成形またはスクリーン印刷された配線が好適である。接続配線４の幅および厚さは、所望の抵抗値とするために、画素の放電光を妨げない範囲で調整される。
ＸおよびＹ電極３と並列に接続配線４を追加することによりＸ電極およびＹ電極の電極抵抗が下がるので、電極抵抗による電圧降下が減少し、前記特許文献３（例えば図６）で記述されているように輝度傾斜（輝度変化）を低減することができるが、接続配線の追加場所が前面板の外面側なので、同文献では活用できなかった背面板裏面をパネル放熱用の部材を取り付けるスペースとして使用することができる。また、接続配線４を追加する際、前面板１内面側のＸおよびＹ電極３と各々重なるように配置されるので、視聴者による映像の視聴を妨げることはない。
【００３４】
次に前記課題を解決する手段２について述べる。手段２では、表示ライン上の各画素位置による遅延の差を低減するように画素位置によりＸおよびＹ電極の抵抗値を変えるが、これはＸおよびＹ電極の幅や厚さおよび材質を表示ライン位置により変えることで実現出来る。図１(c)にＸおよびＹ電極による表示ライン１組の概略構成の一例を示す。図１(c)では、ＸおよびＹ電極３の電極幅を表示ライン位置に応じて変化させる例を模式的に示しており、駆動電圧印加端側の電極抵抗値を小さくし、他端側に近くなる程電極抵抗値を大きくするようにしている。なお同図で接続配線４は、ＸおよびＹ電極各々の両端部を接続する抵抗に置き換え表記した。
【００３５】
図２を用いて手段１および２の効果を説明する。なお図２(a)〜(c)は、各々の指定条件における各部電圧波形の回路シミュレーション結果を示す。
図２(a)は、課題の項で述べた図６(a)に示すＸおよびＹ電極による表示ライン１組のライン長を５分割した等価回路にて、Ｒ１＝Ｒ２＝…＝Ｒ１０＝Ｒ、Ｃ１＝Ｃ２＝…＝Ｃ５＝Ｃの場合の各部電圧波形図を示す。なお本図は図６(b)と同一である。
図２(b)は、同図(a)のＸおよびＹ電極による表示ラインに手段１の接続配線４を追加した場合の各部電圧波形の一例を示す。図２(b)では、接続配線４の抵抗値に依存するが、接続配線４により等価的に電極抵抗値が低減されるため、同図(a)に比較し各部電圧波形とも立上り・立下り時間が早くなっている。一方、各部波形の立上り・立下り時間のバラツキは、接続配線４によらずほとんど変化が見られない。
図２(c)は、手段２として図６(a)の等価回路にてＲ１＜Ｒ２＜Ｒ３＜Ｒ４＜Ｒ５、Ｒ１＝Ｒ１０、Ｒ２＝Ｒ９、Ｒ３＝Ｒ８、Ｒ４＝Ｒ７、Ｒ５＝Ｒ６とし、且つ手段１の接続配線４を適用した場合の各部電圧波形の一例を示す。図２(c)では、手段２の画素位置によりＸおよびＹ電極の抵抗値を変えることにより、同図(b)に比較し各部電圧波形の立上り・立下り時間のバラツキが低減されている。一方、接続配線４による立上り・立下り時間の改善効果は同図(b)と同程度である。
図２(c)に示すように、ＸまたはＹ電極のバス電極において単位長さ当たりの抵抗値を駆動電圧印加端側を小さく、他端側に近くなるほど大きくするようにした場合、各部電圧波形の立上り・立下り時間のバラツキが低減される傾向にある。
以上述べたように、接続配線の追加、および電極抵抗の単位長さ当たりの抵抗値を駆動電圧印加端側が小さく他端側に近くなるほど大きくすること、により維持放電電圧波形の遅延歪の低減と画素位置によるバラツキを低減できるので、各画素に従来より改善された所望の電圧波形に近い電圧波形を印加することができ、消費電力低減効果を期待することができる。
【００３６】
なお駆動電圧印加端側の電極抵抗の低抵抗化に関しては、前述したとおり電極材料、電極幅、厚さ共に物理的、性能および加工精度等製造上の限界があるが、電極幅の拡大による開口率への影響を低減する一案について、図１(c)にて説明する。
図１(c)では、ＸまたはＹ電極(バス電極)３の駆動電圧印加端側を低抵抗化するために該印加端側の電極幅を他端側から直線的に増加させている。なおＸとＹ電極は駆動電圧印加端を互いにパネルの反対側に配置しているため、同図(c)に示すようにＸとＹ電極(バス電極)３は、互い逆向きの略直角三角形状が交互に配置されることになる。
ＸとＹ電極(バス電極)３の電極幅の変化率を同一とすると、各画素において両電極幅(バス電極)の合計値は等しくなるため、各画素の開口率は表示ライン上の画素位置によらず同一となる。また該電極幅の平均値を従来の電極幅(バス電極)と等しくすれば、該開口率も従来と同一となるため、開口率を低減することなく、駆動電圧印加端側の電極幅を拡大することが出来る。
【００３７】
前記接続配線を前面板の外面側表面に設けることによるコントラストの向上について、以下に述べる。図１(b)に示すように前記接続配線４はプラズマディスプレイ装置正面から映像を見た場合、ＸおよびＹ電極３と重なる位置に配置される。ＸおよびＹ電極３(バス電極)は、各画素の放電光を妨げない位置に配置されており、よって該電極と重なるように配置された接続配線４も同様に放電光を妨げない。且つ、外来光の前面板への入射を一部阻止出来るため、外来光によるコントラスト劣化を低減することが可能となる。
【００３８】
ところで、前記接続配線４により、垂直方向の視野角が狭くなるが、これを回避する一案を図３に示す。図３は前面板１の鉛直方向の断面図であり、前面板１の内側表面にＸおよびＹ電極３、外側表面に接続配線４が重なるように配置されている。なお、８は各画素の放電光の軌跡、９は各電極３のＩＴＯによる透明電極である。
【００３９】
回避案は、図３に示すように各表示ライン位置に対応した前面板外側表面に、断面が凸レンズ状となるように外側表面に凹凸を設けることである。この凹凸は画素ごとに単独に設けても、表示ラインごとに蒲鉾状に設けても垂直方向の視野角の改善が可能である。
接続配線の電気的絶縁については、赤外線輻射や筐体不要輻射の防止などを目的とした前面フィルタが、前面板の外側に取付けられることが一般的であり、該前面フィルタにより絶縁を確保することが可能である。
【００４０】
前記接続配線４は、前記前面フィルタや本発明を含むその他の目的で前面板の外面側に取付けられる別の部材に設けることも本発明の実施形態の一例として考えられる。その他、本発明はその要旨を逸脱しない範囲で、種々変形して実施することが出来る。
【００４１】
以上説明したように、本発明によれば、前面板の外面側に表示ライン１組毎に接続配線を設け、維持放電用のＸ電極、維持・走査放電用のＹ電極の電極抵抗を等価的に低減することにより、各画素に対応するＸ−Ｙ電極間に印加される維持放電電圧の駆動波形の立上り/立下りを素早くすることができ、波形遅延歪を低減することができる。そしてさらに、表示ライン上の各画素位置による遅延の差を低減するように画素位置によりＸおよびＹ電極の抵抗値を変え、例えば、Ｘ−Ｙ電極のそれぞれにおいて、駆動電圧印加端側の電極抵抗を小さくし、他端側に近づく程電極抵抗を大きくすることにより、電極上の画素位置によらず各画素への印加電圧波形の遅延を略均一化できる。これにともない、発光効率を向上させる維持放電電圧波形を歪少なく各画素へ印加可能となり、該維持放電電圧波形による所望の消費電力低減効果を得ることが期待できる。また、接続配線を追加することにより電極抵抗が下がり、輝度傾斜（輝度変化）が小さくなり、映像品位劣化を低減できる。しかも、接続配線の追加場所が前面板の外面側なので、従来どおり背面板裏面をパネル放熱用の部材を取り付けるスペースとして使用することができる。さらに、接続配線が前面板１内面側のＸおよびＹ電極３と各々重なるように配置されるので、視聴者による映像の視聴を妨げることはなく、かつ外光によるコントラストの劣化の低減も実現出来る。
【図面の簡単な説明】
【００４２】
【図１】本発明の実施形態の一例に係わるプラズマディスプレイ装置を示す図
【図２】ＸおよびＹ電極による表示ライン１組を５分割した場合における本発明の効果を示す各部電圧波形図
【図３】垂直方向視野角を改善する一案を示す前面板の鉛直方向断面図
【図４】発光効率を改善する維持放電電圧波形の一例を示す波形図
【図５】ＸおよびＹ電極による表示ライン１組の電気的等価回路
【図６】ＸおよびＹ電極による表示ライン１組を５分割した場合の等価回路、各部電圧、電流波形を示す図
【図７】表示ラインにおける輝度傾斜を説明する図
【符号の説明】
【００４３】
１…前面板、２…背面板、３…ＸおよびＹ電極(バス電極)、４…接続配線、
５…隔壁、６…アドレス電極、７…誘電体および蛍光体、８…画素の放電光、
９…ＸおよびＹ電極(透明電極)、２１…曲線、２２…曲線
【図１】
2005129235.tif 000003
【図２】
2005129235.tif 000004
【図３】
2005129235.tif 000005
【図４】
2005129235.tif 000006
【図５】
2005129235.tif 000007
【図６】
2005129235.tif 000008
【図７】
2005129235.tif 000009